(57)【要約】      （修正有）【課題】一つの箱に異なる形状や大きさの収容物を明確に分けて収容可能とする収容箱を提供する。【解決手段】収容箱（箱本体）１は、第１の収容部１０と、第２の収容部２０と、を有する。第１の収容部１０は、正面２、側面３および仕切壁４により内面に仕切られる空間内に配置され、上面が開口面をなし、取っ手１２の前後操作により出没可能に設けられる。第２の収容部２０は、第１の収容部１０の開口面から形成される空間とは別に、正面下部に刳り貫かれた空間内に配置され、上面が開口面をなし、取っ手２２により出没可能に設けられる。また、上部に空間６を確保しつつ、上端より底部へ向けてガイド溝３１が形成された第３の収容部（主収容部）３０が、その底面が成人の膝より高い位置となるように、底板５が設けられ、底板５の下部の空間に第４および第５の収容部（副収容部）４０，５０が設けられる。【選択図】図１
2016119974.tif 000002
【特許請求の範囲】
【請求項１】
少なくとも一つの面が開口面とされており、この開口面が出没可能に設けられた第１の収容部と、
この第１の収容部の前記開口面内の空間とは別に仕切られて刳り貫かれた空間内に配置されるとともに、少なくとも一つの面が開口面とされており、この開口面が出没可能に設けられた第２の収容部と、を有することを特徴とする収容箱。
【請求項２】
前記第１の収容部の前記刳り貫かれた空間がその正面下部から背面側に貫通しないように形成されるとともに、前記第１の収容部および前記第２の収容部の前記開口面がいずれも上面に形成される請求項１に記載の収容箱。
【請求項３】
前記第１の収容部は、前記開口面内の空間と前記第２の収容部が配置される前記刳り貫かれた空間との間に仕切られた残余空間が形成され、この残余空間が補助収容部として使用される請求項１または２に記載の収容箱。
【請求項４】
前記第１の収容部および前記第２の収容部の側面と仕切られた空間内に、上部の空間を確保しつつ、正面または側面の上端より底部へ向けてガイド溝が形成された第３の収容部を、さらに有する請求項１から３のいずれかに記載の収容箱。
【請求項５】
前記第３の収容部の底面が相対的に成人の膝より高い位置となるように設けられる請求項４に記載の収容箱。
【請求項６】
前記第３の収容部の前記底面と仕切られた下部空間内に、さらに収容部を有する請求項５に記載の収容箱。
【請求項７】
前記第３の収容部の前記底面と仕切られた前記収容部の少なくとも一つは、収容物の挿入口が形成された第４の収容部である請求項６に記載の収容箱。
【請求項８】
前記挿入口は、成人の握りこぶしの幅と相対的に同径の真円状に形成される請求項７に記載の収容箱。
【請求項９】
前記第３の収容部と仕切られた前記収容部は、前記第４の収容部、および、
前記第４の収容部の側面と仕切られた空間内に配置されるとともに、上面が開口面に形成されており、この開口面を出没可能に設けられた第５の収容部である請求項６から８のいずれかに記載の収容箱。
【請求項１０】
各収容部は、互いに異なる色または模様が付されるか、少なくともいずれかの収容部の内部が透視可能とされる請求項１から９のいずれかに記載の収容箱。
【請求項１１】
廃棄物収容箱として用いられ、前記第１の収容部には相対的に長い直管型蛍光灯が、前記第２の収容部には相対的に短い直管型蛍光灯が、それぞれ収容される請求項１から１０のいずれかに記載の収容箱。
【請求項１２】
廃棄物収容箱として用いられ、前記第３の収容部には環型蛍光灯が、前記第４の収容部には乾電池が、前記第５の収容部には電球管型蛍光灯が、それぞれ収容される請求項９から１１のいずれかに記載の収容箱。
【請求項１３】
上部の空間を確保しつつ、正面または側面の上端より底部へ向けてガイド溝が形成され、かつ底面が相対的に成人の膝より高い位置となるように設けられる主収容部と、
前記主収容物の前記底面と仕切られた下部空間内に設けられる副収容部と、を有することを特徴とする収容箱。
【発明の詳細な説明】
【技術分野】
【０００１】
本発明は、複数の収容部を有する収容箱に関する。
【背景技術】
【０００２】
箱に物を収容する際に、対象となる収容物のうち、たとえば、ある一群の収容物は直線状、別のある一群の収容物は円形とか、ある一群の収容物は相対的に大きく、別のある一群の収容物は相対的に小さいというように、収容物の形状や大きさがいくつかのタイプに分かれる場合に、各タイプについて別々に収容することが望まれる。この場合に、一つの箱に仕切られた複数の収容部を設け、各収容部内に形状別に収容できると、スペースやコストを低減しつつ分別が容易となり便利である。
【０００３】
特に近年では、環境意識の高まりや法令による廃棄規制の強化により、リサイクルを目的とした廃棄物収容箱が設置されることが多くなっているが、この種の箱では、廃棄対象の収容物を形状や大きさ別に分ける要請が強い。
【０００４】
ここで、容器内に複数の収容部を有する容器の例として、特許文献１では、蓋と本体からなる外容器と、大きさの異なる複数の収容部を有する内容器とから構成され、内容器を反転させて外容器に収納することで、容量の異なる化粧料を収容可能とした化粧料容器が提案されている。
【０００５】
また、特許文献２では、主容器内の上方に、この主容器より小さい副容器を取り付けた廃棄物用の箱が提案されている。
【先行技術文献】
【特許文献】
【０００６】
【特許文献１】特開２００３−７０５４０号公報
【特許文献２】特開２０１０−１３２８１号公報
【発明の開示】
【発明が解決しようとする課題】
【０００７】
しかしながら、特許文献１の提案は、内容器の各収容部に対象となる収容物を入れるには、その収容部の開口面を外容器の蓋側に向け、この蓋から収容しなければならず、同時に複数の収容部に収容することができない。そのため、化粧料の収容以外の用途での適用は困難である。
【０００８】
また、特許文献２の提案は、主容器の中に副容器があるので、たとえば、主容器が収容物で満たされた場合に副容器を使うとか、容器全体が空に近い状態で主容器を使うまでもないと判断された場合に副容器を使う、といったような使い方が想定され、相互に形状や大きさの異なる収容物が混じってしまうことが懸念される。そのため、構成上、形状や大きさの異なる収容物を明確に分ける目的で使用するには適していない。
【０００９】
さらに、特許文献１の提案における内容器および特許文献２の提案における副容器は、いずれもメインの容器に対する副次的な収容部にすぎないので、同じ収容物であってもメインの容器との間で入れ替えるといったことが想定され、このことからも形状や大きさの異なる収容物を明確に分けることは困難である。
【００１０】
本発明の目的は、一つの箱に異なる形状や大きさの収容物を明確に分けて収容可能とすることにある。
【課題を解決するための手段】
【００１１】
＜１＞  少なくとも一つの面が開口面とされており、この開口面が出没可能に設けられた第１の収容部と、この第１の収容部の前記開口面内の空間とは別に仕切られて刳り貫かれた空間内に配置されるとともに、少なくとも一つの面が開口面とされており、この開口面が出没可能に設けられた第２の収容部と、を有することを特徴とする収容箱である。
【００１２】
＜２＞  前記第１の収容部の前記刳り貫かれた空間がその正面下部から背面側に貫通しないように形成されるとともに、前記第１の収容部および前記第２の収容部の前記開口面がいずれも上面に形成される＜１＞に記載の収容箱である。
【００１３】
＜３＞  前記第１の収容部は、前記開口面内の空間と前記第２の収容部が配置される前記刳り貫かれた空間との間に仕切られた残余空間が形成され、この残余空間が補助収容部として使用される＜１＞または＜２＞に記載の収容箱である。
【００１４】
＜４＞  前記第１の収容部および前記第２の収容部の側面と仕切られた空間内に、上部の空間を確保しつつ、正面または側面の上端より底部へ向けてガイド溝が形成された第３の収容部を、さらに有する＜１＞から＜３＞のいずれかに記載の収容箱である。
【００１５】
＜５＞  前記第３の収容部の底面が相対的に成人の膝より高い位置となるように設けられる＜４＞に記載の収容箱である。
【００１６】
＜６＞  前記第３の収容部の前記底面と仕切られた下部空間内に、さらに収容部を有する＜５＞に記載の収容箱である。
【００１７】
＜７＞  前記第３の収容部の前記底面と仕切られた前記収容部の少なくとも一つは、収容物の挿入口が形成された第４の収容部である＜６＞に記載の収容箱である。
【００１８】
＜８＞  前記挿入口は、成人の握りこぶしの幅と相対的に同径の真円状に形成される＜７＞に記載の収容箱である。
【００１９】
＜９＞  前記第３の収容部と仕切られた前記収容部は、前記第４の収容部、および、
前記第４の収容部の側面と仕切られた空間内に配置されるとともに、上面が開口面に形成されており、この開口面を出没可能に設けられた第５の収容部である＜６＞から＜８＞のいずれかに記載の収容箱である。
【００２０】
＜１０＞  各収容部は、互いに異なる色または模様が付されるか、少なくともいずれかの収容部に内部が透視可能とされる＜１＞から＜９＞のいずれかに記載の収容箱である。
【００２１】
＜１１＞  廃棄物収容箱として用いられ、前記第１の収容部には相対的に長い直管型蛍光灯が、前記第２の収容部には相対的に短い直管型蛍光灯が、それぞれ収容される＜１＞から＜１０＞のいずれかに記載の収容箱である。
【００２２】
＜１２＞  廃棄物収容箱として用いられ、前記第３の収容部には環型蛍光灯が、前記第４の収容部には乾電池が、前記第５の収容部には電球管型蛍光灯が、それぞれ収容される＜９＞から＜１１＞のいずれかに記載の収容箱である。
【００２３】
＜１３＞  箱本体、前記第１の収容部、前記第２の収容部および前記第５の収容部はプラスチック製の段ボールを、前記第３の収容部および前記第４の収容部は発泡性ポリオレフィン樹脂を、それぞれ主材料とする＜９＞から＜１２＞のいずれかに記載の収容箱である。
【００２４】
＜１４＞  上部の空間を確保しつつ、正面または側面の上端より底部へ向けてガイド溝が形成され、かつ底面が相対的に成人の膝より高い位置となるように設けられる主収容部と、前記主収容物の前記底面と仕切られた下部空間内に設けられる副収容部と、を有することを特徴とする収容箱である。
【発明の効果】
【００２５】
本発明の収容箱によれば、第１の収容部および第２の収容部は開口面が出没可能に設けられており、第２の収容部は第１の収容部の開口面内の空間とは別に仕切られて刳り貫かれた空間内に配置されるので、各収容部の開口面より、形状や大きさの異なる収容物を明確に分けて収容することができる。
【００２６】
本発明の収容箱によれば、ガイド溝が形成され、かつ底面が相対的に成人の膝より高い位置となるように設けられる主収容部と、主収容物の底面と仕切られた空間内に設けられる副収容部とを有するので、収容部の位置や形状が顕著に異なり、これにより形状や大きさの異なる収容物を明確に分けて収容することができる。
【図面の簡単な説明】
【００２７】
【図１】図１は、本発明の一形態例の収容箱の正面図である。
【図２】図２は、図１の収容箱の側面図である。
【図３】図３は、第１の収容部を開口面より開いた状態を示す図である。
【図４】図４は、第２の収容部を開口面より開いた状態を示す図である。
【図５】図５は、第４の収容部を開口面より開いた状態を示す図である。
【図６】図６は、第５の収容部を開口面より開いた状態を示す図である。
【図７】図７は、本発明の設置例を示す写真である。
【図８】図８は、本発明の他の形態例の収容箱を示す図である。
【図９】図９は、本発明のさらに他の形態例の収容箱を示す図である。
【発明を実施するための形態】
【００２８】
本発明の実施の形態を、図面を参照しながら詳細に説明する。なお、全図において同一機能を有するものは原則として同一の符号を付すようにし、その繰り返しの説明は可能な限り省略するようにしている。
【００２９】
図１は本発明の一形態例の収容箱の正面図、図２は図１の収容箱の側面図、図３は第１の収容部を開口面より開いた状態を示す図、図４は第２の収容部を開口面より開いた状態を示す図、図５は第４の収容部を開口面より開いた状態を示す図、図６は第５の収容部を開口面より開いた状態を示す図、図７は本発明の設置例を示す写真である。
【００３０】
図１および図２に示すように、本発明の収容箱（箱本体）１は、正面２が幅よりも高さの方が長手の矩形状の開口面をなす一方、側面３，３が壁面となっている。この収容箱１の高さは、目的に応じて適宜変更すればよいが、たとえば、廃棄物収容箱として用いる場合は、成人の身長より、やや低め、つまり１２５〜１５０ｃｍ程度が好ましい。そして、収容箱１の正面２および側面３，３により内面に形成される空間内に、図１の例では、第１の収容部１０、第２の収容部２０、第３の収容部３０、第４の収容部４０、および第５の収容部５０の５つの収容部が設けられている。
【００３１】
第１の収容部１０は、図１の例では正面２の右側に仕切られた空間内に、これを埋めるように設けられており、その上面１１が開口面をなしている（図３参照）。この上面１１は、背面側が若干、低くなるような傾斜状となっている。また、第１の収容部１０の正面上方には取っ手１２が設けられ、正面底部には収容箱１の幅方向に沿うストッパー１３が設けられている。これらの構成により、取っ手１２を手前に引くと、底部がストッパー１３で押さえられ、図３に示すように、上面１１の開口面から開けることができるようになっている。つまり、取っ手１２の前後操作により上面１１の開口面を出没させられるようになっている。なお、第１の収容部１０は、取っ手１２よりストッパー１３を乗り越えるように持ち上げれば、収容箱１から引き出すことができる。
【００３２】
第２の収容部２０は、図１および図４に示すように、第１の収容部１０の正面下部から背面に貫通しないように、第１の収容部１０を刳り貫いて形成された空間１４内に、これを埋めるように設けられており、第１の収容部１０と同様に上面２１が背面側が若干、低くなるような傾斜状の開口面をなしている。また、上部に取っ手２２が形成されること、ストッパー１３により上面２１の開口面から出没できること、持ち上げれば引き出せることも同様である。
【００３３】
この構成により、第２の収容部２０の高さより長い形状の収容物は、第１の収容部１０の上面１１より挿入して収容する一方、第２の収容部２０の高さより短い形状の収容物は、第２の収容部２０の上面２１より挿入することで、大きさの異なる収容物を分けて収容することができる。この際に、第１の収容部１０と第２の収容部２０とで収容物の挿入口（つまり上面１１と上面２１）が異なるため、対象となる収容物を明確に分けることができる。
【００３４】
また、第１の収容部１０では、図３および図４に示すように、上面１１は全面が開口される一方、上面１１より伸びる下部の空間１５が、上述した第２の収容部２０の設置のために刳り貫いて形成された空間１４により、正面２から背面へ向けて収容箱１の奥行の２／３程度、刳り貫かれて狭くなっている。そして、上面１１と下部との間の空間１６は、傾斜状に狭まって形成されている。これにより、第１の収容部１０への収容対象となる物は、広い開口面をなす上面１１よりスムーズに入れられる一方で、収容後は狭い下部の空間１５で移動の自由度が制限されるので転倒を防ぐことができる。つまり、第１の収容部１０では、第２の収容部２０の設置のために刳り貫いて空間１４を形成することで、内部空間を有効活用したために、このような効果が得られる。
【００３５】
第１の収容部１０および第２の収容部２０は、上述した構成を利用して、たとえば、収容箱１を廃棄物収容箱として用いた場合に、第１の収容部１０には相対的に長い直管型蛍光灯を収容する一方、第２の収容部２０には相対的に短い直管型蛍光灯を収容するといった使い方ができる。この場合に、上述したように第１の収容部１０では転倒を防ぎやすいので、収容した直管型蛍光灯が不意に倒れて破損する事態を防ぐことができる。
【００３６】
なお、図１の例では、開口面は第１の収容部１０および第２の収容部２０のいずれも上面１１，２１となっているが、収容箱１の側面を開口面とすることにより、各収容部の側面を開口面としてもよいし、上面と側面の双方を開口面としてもよい。
【００３７】
第３の収容部３０、第４の収容部４０および第５の収容部５０は、図１に示すように、第１の収容部１０および第２の収容部２０と、仕切壁４を介して、図１の例では正面２の左側の空間内に配置されている。
【００３８】
第３の収容部３０（主収容部）は、底面が成人の膝より高い位置となるように、底板５が設けられている。つまり、第３の収容部３０の底面は、好ましくは４０〜６０ｃｍ程度の高さの位置となっている。第３の収容部３０の上方では、収容箱１の上部の空間６を確保しつつ、正面上端より舌片状のガイド溝３１が形成されている。なお、ガイド溝３１の基端３１ａ，３１ｂは、接触により怪我をしたり硬い印象を与えることを防ぐ目的で円弧状に形成されている。
【００３９】
また、第３の収容部３０正面下方には、取っ手３２ａ，３２ｂが設けられる一方、同底部には幅方向に沿うストッパー３３が設けられており、第１の収容部１０等と同様に、取っ手３２ａ，３２ｂより第３の収容部３０を持ち上げることで収容箱１から引き出すことができる。
【００４０】
この第３の収容部３０は、底面が成人の膝程度の高さ位置となっていることから、しゃがみ込むことなく収容物を置くことができる。また、上部に空間６が確保され、かつガイド溝３１が形成されることにより、収容物を空間６から入れた後、手をガイド溝３１に沿って下げながら置くことができる。これにより、収容物を入れる途中で不意に落として破損させてしまうことを防ぎやすくなる。なお、ガイド溝３１は、収容箱１の側面を開口と面とすることにより、側面に形成してもよい。
【００４１】
第３の収容部３０は、このような構成を利用して、たとえば、廃棄物収容箱として用いた場合に、環型蛍光灯の収容に好適に使うことができる。この場合に、上述したように第３の収容部３０では収容物を不意に落とすことを防ぎやすくなっているので、形状的に直管型蛍光灯よりガラス管が直に接触しやすく破損のおそれが高い環型蛍光灯を、破損させることなく収容できる。
【００４２】
第３の収容部３０よりも下部には、収容箱１の底面７と底板５（つまり第３の収容部３０の底面）とにより仕切られた空間内に第４の収容部（副収容部）４０および第５の収容部（副収容部）５０が設けられている。
【００４３】
このうち、図中右側の第４の収容部４０は、正面上方に収容物を入れるための挿入口４１が形成されており、この挿入口４１から挿入できる程度の小さな物の収容用として設けられる。
【００４４】
また、上面４２が背面側が若干、低くなるような傾斜状の開口面をなす（図５参照）一方、正面底部には、第５の収容部５０の底部まで伸びて幅方向に沿うストッパー４３が設けられており、挿入口４１をつかんで手前に引くことで、第１の収容部１０や第２の収容部２０と同様に、上面４２から開けることができる。これにより、挿入口４１から入りきらない物を、上面４２から収容可能である。さらに、同下方には、取っ手４４が設けられており、これまで説明した各収容部と同様に、取っ手４４によりストッパー４３を持ち上げることで収容箱１から引き出すことができる。
【００４５】
第４の収容部４０は、挿入口４１より挿入できる小型の物の収容用として構成されることから、たとえば、収容箱１を廃棄物収容箱として用いた場合に、乾電池や体温計、ライターといった物を収容するのに好適に使うことができる。
【００４６】
第５の収容部５０は、収容箱１の図中左側の側面３と、底板５と、第４の収容部４０とで仕切られた空間内に、これを埋めるように設けられている。図６に示すように、第５の収容部５０の上面５１は、第１の収容部１０や第２の収容部２０と同様に、背面側が若干、低くなるような傾斜状の開口面をなし、正面上方に取っ手５２（図１参照）が設けられる。一方で、既に述べたように、同底部にストッパー４３が設けられる。このため、取っ手５２を引くことで上面５１から開けることができるとともに、取っ手４４よりストッパー４３を乗り越えるように持ち上げれば収容箱１から引き出すことができる。
【００４７】
また、第５の収容部５０は、第３の収容部３０下のうち２／３以上の幅を占めている。第５の収容部５０は、第３の収容部３０の下部側、つまり成人の膝下に設けられるとともに、第４の収容部４０の倍程度の幅に形成されることから、幅や厚みはあっても長さは相対的に短い物の収容に適している。このため、たとえば、収容箱１を廃棄物収容箱として用いた場合に、電球管型蛍光灯や破損管の収容に好適に使うことができる。
【００４８】
収容箱１および各収容部の材料としては、特に制限はないが、廃棄物収容箱として使用し、各収容部を上述の蛍光管等を収容する場合には、第３の収容部３０および第４の収容部では、ガイド溝３１や挿入口４１より収容部の切削面に利用者の手が接触し得るため、それにより擦れて怪我をするのを防ぐことが望まれる。そのため、たとえば、発泡性ポリオレフィン樹脂のように加工が容易な樹脂が好ましく、より具体的には、スミセラー（登録商標）のような発泡性ポリプロピレン樹脂が好適に用いられる。一方、他の収容部と、収容箱１の本体では、収容物の破損や収容した蛍光灯の破片によって箱自体が破損することを防ぎつつ、コストが安価であることが望まれ、たとえば、ダンプラと呼ばれるプラスチック製の段ボールが好適に用いられる。なお、各収容部内には、収容物の破損等を防ぐために、養生シートを敷くことが好ましい。
【００４９】
図７に示す実際の設置例の写真において、各収容部の明度が異なっているが、この例では、各収容部で色を変え、さらに箱本体１でも異なる色としている。この例のように各収容部で異なる色を付したり、あるいは異なる模様を付すことが好ましい。これにより、どの対象物は、どの収容部に入れるべきかが、より明確になるとともに、収容箱１の意匠効果が高まる。さらに言えば、たとえば、収容箱１を廃棄物収容箱として使用した場合に、子供のように文字表記だけでは、どこに何を収容すべきか判別できない者にとって、各収容部で色や模様を変えれば、それを明確にしやすいし、そのような意匠を施したことで収容箱１に対する関心が高まる。その結果、幼い時期から高い環境意識を持つように促すことが期待できる。
【００５０】
また、各収容部の一部または全部を、透明度が高い材料を使用する等により、内部を透視できるようにして、同様な効果を奏するようにしてもよい。
【００５１】
以上、本発明の実施の形態を詳細に説明したが、本発明の収容箱は、上記実施の形態に限定されず、その範囲内で想定されるあらゆる技術的思想を含んでもよい。
【００５２】
図８は本発明の他の形態例の収容箱を示す図であり、図９は、本発明のさらに他の形態例の収容箱を示す図である。
【００５３】
図８に示す収容箱６１は、第１の収容部１０内に補助収容部１７が設けられている。この補助収容部１７は、第２の収容部２０の設置のために刳り貫いて形成された空間１４と、開口面（上面１１）内の空間１５，１６との間に形成される残余空間である。
【００５４】
この補助収容部１７は、底部に底板１８が設けられて空間１４と仕切られるとともに、第１の収容部１０の傾斜面１９により空間１５と仕切られる。そして、傾斜面１９に挿入口を設けたり、傾斜面１９を開閉可能とすることで、収容物が出し入れできるようになっている。このように、補助収容部１７は、残余空間を収容部として機能させることにより、たとえば、収容箱６１を廃棄物収容箱として用いた場合に、体温計やライター等の小型で細長い廃棄物の収容に好適に使うことができる。このような残余空間を補助収容部１７として使用することにより、収容箱内の空間のさらなる有効活用をすることができる。
【００５５】
図９に示す収容箱７１は、第４の収容部４０の挿入口８１が真円状に形成されている。この挿入口８１の直径は、成人の握りこぶしの幅と同程度に形成される。つまり、１０〜１３ｃｍであることが好ましい。１０ｃｍ未満であると真円状に形成することによる効果を得難くなり、１３ｃｍを超えると収容部の強度が弱くなりやすくなる。なお、真円状とは、外観が概ね真円と判断される程度の形状であればよく、厳密に真円でなくてもよい。
【００５６】
収容箱７１では、真円状の挿入口８１を形成することで、利用者が挿入口を単なる取っ手と勘違いするおそれが少なくなる。つまり、本発明の収容箱を廃棄物収容箱として用い、第４の収容部４０に、たとえば乾電池等を収容する場合、収容物１つ当たりの重みがある上に、小型であるために大量に収容されることがある。その際に重みが増すため、利用者が挿入口を取っ手と勘違いして、これより第４の収容部４０を開くと、収容物の重みで不意に閉じてしまい手を挟んで閉じてしまうおそれがある。しかしながら、真円状の挿入口８１であれば、取っ手と捉えられ難くなるので、そのような事態を防ぐことができる。
【００５７】
また、本発明の収容箱の背面８（図２参照）を開閉可能とし、背面側８から各収容部やその中に収容された収容物を取り出せるようにしてもよい。
【００５８】
さらに、本発明の収容箱は、第１の収容箱１０と、第２の収容箱２０のみ、あるいは第３の収容部３０、第４の収容部４０、第５の収容部５０のみからなってもよいし、第４の収容部４０と第５の収容部５０は、いずれか一方の機能を果たす方を一体的に設けてもよい。
【００５９】
また、上記実施の形態では、廃棄物収容箱に用いた場合の収容例について述べたが、廃棄物収容箱以外にも、たとえば、チェスト、書類棚、キッチンストッカー等、日常の生活で必要となり得る棚ないしは箱として広範に使用することができる。
【符号の説明】
【００６０】
１，６１，７１                  収容箱（箱本体）
２                              正面
３                              側面
４                              仕切壁
５，１８                        底板
６，１４                        空間
７                              底面
８                              背面
１０                              第１の収容部
１１，２１，４２，５１            上面
１２，２２，３２ａ，３２ｂ，４４，５２
取っ手
１３，３３，４３                  ストッパー
１５                              下部の空間
１６                              上面と下部との間の空間
１７                              補助収容部
１９                              傾斜面
２０                              第２の収容部
３０                              第３の収容部（主収容部）
３１                              ガイド溝
３１ａ，３１ｂ                    ガイド溝の基端
４０                              第４の収容部（副収容部）
４１，８１                        挿入口
５０                              第５の収容部（副収容部）
【図１】
2016119974.tif 000003
【図２】
2016119974.tif 000004
【図３】
2016119974.tif 000005
【図４】
2016119974.tif 000006
【図５】
2016119974.tif 000007
【図６】
2016119974.tif 000008
【図８】
2016119974.tif 000009
【図９】
2016119974.tif 000010
【図７】
2016119974.tif 000011